(57)【要約】【課題】ネットワークから取得した印刷用の原稿情報を紙媒体などの印刷物に印刷する際に、当該印刷行為の実施者の属性に沿った付加情報を印刷物に挿入して印刷することができる、印刷物への付加情報挿入システム等の提供を目的とする。【解決手段】印刷レイアウトを編集するプログラムの取得と引き替えにユーザの属性情報を取得し、プログラム実行時において、前記ユーザ属性情報に合致する付加情報をサーバ装置から取得し、印刷イメージに挿入して印刷する。【選択図】図１
2008065775.tif 000002
【特許請求の範囲】
【請求項１】
サーバ装置と、前記サーバ端末にネットワークによって連結されたユーザ端末とからなる、印刷物への付加情報挿入システムであって、
前記サーバ装置は、
前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してある、記憶手段と、
前記ユーザ端末から入力されたユーザ属性情報と引き替えに前記プログラムを当該ユーザ端末に提供する、プログラム提供手段と、
前記ユーザ識別番号を個別に生成し、当該ユーザ端末に提供する、ユーザ識別番号提供手段と、
前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、を有し、
前記プログラムは、前記ユーザ端末を、
当該ユーザ端末にて表示される印刷希望画面に対して印刷指令を実行する際に、前記サーバ装置に当該ユーザ識別番号を前記サーバ装置に送信する、ユーザ識別番号送信手段と、
前記サーバ装置から受信した付加情報を組み合わせて前記印刷希望画面のレイアウトを編集する、印刷レイアウト編集手段と、として機能させるためのプログラムであることを特徴とする、
印刷物への付加情報挿入システム。
【請求項２】
サーバ装置と、前記サーバ端末にネットワークによって連結されたユーザ端末とからなる、印刷物への付加情報挿入システムを用いた印刷物への付加情報挿入方法であって、
前記サーバ装置は、前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してあり、
前記サーバ装置は、前記ユーザ端末から入力されたユーザ属性情報と引き替えに前記プログラム及びユーザ識別番号を当該ユーザ端末に提供し、
前記サーバ装置は、前記ユーザ識別番号及びユーザ属性情報をユーザ端末単位で管理し、
前記プログラムをインストールしたユーザ端末は、当該ユーザ端末にて表示される印刷希望画面に対して印刷指令を実行する際に、前記サーバ装置に当該ユーザ識別番号を前記サーバ装置に送信し、
前記サーバ装置は、前記ユーザ端末から送信されるユーザ識別番号に基づいてユーザ属性情報を読み出し、当該ユーザ属性情報に関連づけられた付加情報を読み出して当該ユーザ端末に送信し、
前記ユーザ端末は、前記サーバ装置から受信した付加情報を組み合わせて前記印刷希望画面のレイアウトを編集することを特徴とする、
印刷物への付加情報挿入システムを用いた印刷物への付加情報挿入方法。
【請求項３】
ユーザ端末とネットワークによって連結されたサーバ装置であって、
前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してある、記憶手段と、
前記ユーザ端末から入力されたユーザ属性情報と引き替えに前記プログラムを当該ユーザ端末に提供する、プログラム提供手段と、
前記ユーザ識別番号を個別に生成し、当該ユーザ端末に提供する、ユーザ識別番号提供手段と、
前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、を有し、
前記プログラムは、前記ユーザ端末を、
当該ユーザ端末にて表示される印刷希望画面に対して印刷指令を実行する際に、前記サーバ装置に当該ユーザ識別番号を前記サーバ装置に送信する、ユーザ識別番号送信手段と、
前記サーバ装置から受信した付加情報を組み合わせて前記印刷希望画面のレイアウトを編集する、印刷レイアウト編集手段として機能させるためのプログラムであることを特徴とする、
サーバ装置。
【請求項４】
ユーザ端末とネットワークによって連結されたサーバ装置を、
前記ユーザ端末単位で管理されるユーザ識別番号及びユーザ属性情報と、前記ユーザ属性情報に夫々関連づけられた付加情報と、を少なくとも記憶する、記憶手段と、
前記ユーザ端末から入力されたユーザ属性情報と引き替えに前記プログラムを当該ユーザ端末に提供する、プログラム提供手段と、
前記ユーザ識別番号を個別に生成し、当該ユーザ端末に提供する、ユーザ識別番号提供手段と、
前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、
前記ユーザ端末にインストール可能であって、当該ユーザ端末にて表示される印刷希望画面に対して印刷指令を実行する際に、前記サーバ装置に当該ユーザ識別番号を前記サーバ装置に送信させる、ユーザ識別番号送信手段、及び前記サーバ装置から受信した付加情報を組み合わせて前記印刷希望画面のレイアウトを編集させる、印刷レイアウト編集手段と、
として機能させるためのプログラムを記録したコンピュータ読み取り可能な媒体。
【発明の詳細な説明】
【技術分野】
【０００１】
本発明は、ネットワークから取得した印刷用の原稿情報を、紙媒体などの印刷物に印刷する際に生じる余白部に付加情報を挿入して印刷することができる、印刷物への付加情報挿入システム、印刷物への付加情報挿入方法、サーバ装置、コンピュータ読み取り可能な媒体に関する。
【背景技術】
【０００２】
従来、インターネットなどのネットワークを利用してアクセスしたＷＥＢページ等を、パソコンに接続したプリンタ等を通じて印刷することは一般的に行われている。
【０００３】
下記の特許文献には、ネットワークを介して取得した原稿情報を印刷する紙媒体の余り領域に、原稿情報に関連した付加情報を合成して印刷することができるよう構成した付加情報印刷支援システムが開示されている。
【０００４】
特許文献１に記載の発明は、ユーザ端末は、余白領域の大きさを計算し、合成情報サイズを決定し、次いで、原稿情報に対応して保存されているアドレスを用いて広告情報提供サーバに接続して広告依頼情報を送信し、広告依頼情報を出力したあと、広告情報提供サーバから原稿情報に関連する広告情報を受信すると、ユーザ端末は、原稿情報と取得した広告情報とを合成した印刷情報を作成する、といったものであった。
【特許文献１】特開２００６−３１７３５号公報
【発明の開示】
【発明が解決しようとする課題】
【０００５】
しかしながら、上記特許文献１の発明には以下のような問題があった。
【０００６】
閲覧済広告特定情報（例えば、クリック済みのバナー広告のＵＲＬ）に代表される、原稿情報に対応して保存されているアドレスを基にして広告依頼情報を送信しているため、実際の利用者（閲覧者）に対して間接的な情報のみを頼りにして広告情報を選択しているに過ぎず、実際の利用者に対して効率的な広告宣伝効果が得られているかが特定できない。
【０００７】
本発明は、上記従来の課題を解決するために、ネットワークから取得した印刷用の原稿情報を紙媒体などの印刷物に印刷する際に、当該印刷行為の実施者の属性に沿った付加情報を印刷物に挿入して印刷することができる、印刷物への付加情報挿入システム、印刷物への付加情報挿入方法、サーバ装置、コンピュータ読み取り可能な媒体を提供することを目的とするものである。
【０００８】
また、本発明のその他の目的は、印刷物に挿入する付加情報の真贋を識別することができる、印刷物への付加情報挿入システム、印刷物への付加情報挿入方法、サーバ装置、コンピュータ読み取り可能な媒体を提供することである。
【０００９】
また、本発明のその他の目的は、ユーザと、印刷物に挿入する付加情報との関連付け（重み付け）を適式に調整することができる、印刷物への付加情報挿入システム、印刷物への付加情報挿入方法、サーバ装置、コンピュータ読み取り可能な媒体を提供することである。
【００１０】
また、本発明のその他の目的は、印刷物への印刷を適式に抑止することが可能となる印刷物への付加情報挿入システム、印刷物への付加情報挿入方法、サーバ装置、コンピュータ読み取り可能な媒体を提供することである。
【課題を解決するための手段】
【００１１】
そこで、上記目的の何れかを達成するためになされた本願の第１発明は、サーバ装置と、前記サーバ端末にネットワークによって連結されたユーザ端末とからなる、印刷物への付加情報挿入システムであって、前記サーバ装置は、前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してある、記憶手段と、前記ユーザ端末から入力されたユーザ属性情報と引き替えに前記プログラムを当該ユーザ端末に提供する、プログラム提供手段と、前記ユーザ識別番号を個別に生成し、当該ユーザ端末に提供する、ユーザ識別番号提供手段と、前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、を有し、前記プログラムは、前記ユーザ端末を、当該ユーザ端末にて表示される印刷希望画面に対して印刷指令を実行する際に、前記サーバ装置に当該ユーザ識別番号を前記サーバ装置に送信する、ユーザ識別番号送信手段と、前記サーバ装置から受信した付加情報を組み合わせて前記印刷希望画面のレイアウトを編集する、印刷レイアウト編集手段と、として機能させるためのプログラムであることを特徴とする、印刷物への付加情報挿入システムであることを要旨としている。
【００１２】
また、本願の第２発明は、サーバ装置と、前記サーバ端末にネットワークによって連結されたユーザ端末とからなる、印刷物への付加情報挿入システムを用いた印刷物への付加情報挿入方法であって、前記サーバ装置は、前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してあり、前記サーバ装置は、前記ユーザ端末から入力されたユーザ属性情報と引き替えに前記プログラム及びユーザ識別番号を当該ユーザ端末に提供し、前記サーバ装置は、前記ユーザ識別番号及びユーザ属性情報をユーザ端末単位で管理し、前記プログラムをインストールしたユーザ端末は、当該ユーザ端末にて表示される印刷希望画面に対して印刷指令を実行する際に、前記サーバ装置に当該ユーザ識別番号を前記サーバ装置に送信し、前記サーバ装置は、前記ユーザ端末から送信されるユーザ識別番号に基づいてユーザ属性情報を読み出し、当該ユーザ属性情報に関連づけられた付加情報を読み出して当該ユーザ端末に送信し、前記ユーザ端末は、前記サーバ装置から受信した付加情報を組み合わせて前記印刷希望画面のレイアウトを編集することを特徴とする、印刷物への付加情報挿入システムを用いた印刷物への付加情報挿入方法であることを要旨としている。
【００１３】
また、本願の第３発明は、ユーザ端末とネットワークによって連結されたサーバ装置であって、前記ユーザ端末単位で管理されるユーザ識別番号及びユーザ属性情報と、前記ユーザ属性情報に夫々関連づけられた付加情報と、前記ユーザ端末に提供されるプログラムと、を少なくとも記憶してある、記憶手段と、前記ユーザ端末から入力されたユーザ属性情報と引き替えに前記プログラムを当該ユーザ端末に提供する、プログラム提供手段と、前記ユーザ識別番号を個別に生成し、当該ユーザ端末に提供する、ユーザ識別番号提供手段と、前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、を有し、前記プログラムは、前記ユーザ端末を、当該ユーザ端末にて表示される印刷希望画面に対して印刷指令を実行する際に、前記サーバ装置に当該ユーザ識別番号を前記サーバ装置に送信する、ユーザ識別番号送信手段と、前記サーバ装置から受信した付加情報を組み合わせて前記印刷希望画面のレイアウトを編集する、印刷レイアウト編集手段として機能させるためのプログラムであることを特徴とする、サーバ装置であることを要旨としている。
【００１４】
また、本願の第４発明はユーザ端末とネットワークによって連結されたサーバ装置を、前記ユーザ端末単位で管理されるユーザ識別番号及びユーザ属性情報と、前記ユーザ属性情報に夫々関連づけられた付加情報と、を少なくとも記憶する、記憶手段と、前記ユーザ端末から入力されたユーザ属性情報と引き替えに前記プログラムを当該ユーザ端末に提供する、プログラム提供手段と、前記ユーザ識別番号を個別に生成し、当該ユーザ端末に提供する、ユーザ識別番号提供手段と、前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、前記ユーザ端末にインストール可能であって、当該ユーザ端末にて表示される印刷希望画面に対して印刷指令を実行する際に、前記サーバ装置に当該ユーザ識別番号を前記サーバ装置に送信させる、ユーザ識別番号送信手段、及び前記サーバ装置から受信した付加情報を組み合わせて前記印刷希望画面のレイアウトを編集させる、印刷レイアウト編集手段と、として機能させるためのプログラムを記録したコンピュータ読み取り可能な媒体であることを要旨としている。
【００１５】
更に別の発明としては、少なくとも一つのサーバ装置と、前記サーバ端末にネットワークによって連結された複数のユーザ端末と、前記ユーザ端末に提供されるプログラムが記録されたコンピュータ読み取り可能な媒体と、からなる
印刷物への付加情報挿入システムであって、前記サーバ装置は、前記ユーザ端末単位で管理されるユーザ識別番号及びユーザ属性情報と、前記ユーザ属性情報に夫々関連づけられた付加情報と、を少なくとも記憶してある、記憶手段と、前記ユーザ識別番号を個別に生成し、当該ユーザ端末に提供する、ユーザ識別番号提供手段と、前記ユーザ端末から送信されるユーザ識別番号に基づいて前記記憶手段からユーザ属性情報を読み出し、当該ユーザ属性情報に関連づけられた付加情報を読み出して当該ユーザ端末に送信する、付加情報送信手段と、を有し、前記プログラムは、前記ユーザ端末を、当該ユーザ端末に夫々ユーザ識別番号を付与し、前記サーバ装置に送信する、ユーザ識別番号提供手段と、当該ユーザ端末にて表示される印刷希望画面に対して印刷指令を実行する際に、前記サーバ装置に当該ユーザ識別番号を前記サーバ装置に送信する、ユーザ識別番号送信手段と、
前記サーバ装置から受信した付加情報を組み合わせて前記印刷希望画面のレイアウトを編集する、印刷レイアウト編集手段として機能させるためのプログラムであって、前記サーバ装置に送信したユーザ属性情報と引き替えに上記の機能を提供するプログラムであることを特徴とする、印刷物への付加情報挿入システム、が挙げられる。
【００１６】
更に別の発明としては、サーバ装置と、前記サーバ端末にネットワークによって連結されたユーザ端末と、前記ユーザ端末に提供されるプログラムが記録されたコンピュータ読み取り可能な媒体と、からなる、印刷物への付加情報挿入システムを用いた印刷物への付加情報挿入方法であって、前記サーバ装置は、前記ユーザ属性情報に夫々関連づけられた付加情報とを記憶してあり、前記プログラムがインストールされた前記ユーザ端末は、前記ユーザ端末からユーザ属性情報が入力されると、個別のユーザ識別番号を生成し当該ユーザ属性情報とともに前記サーバ装置に送信し、前記サーバ装置は、前記ユーザ識別番号及びユーザ属性情報をユーザ端末単位で管理し、前記ユーザ端末は、当該ユーザ端末にて表示される印刷希望画面に対して印刷指令を実行する際に、前記サーバ装置に当該ユーザ識別番号を前記サーバ装置に送信し、前記サーバ装置は、前記ユーザ端末から送信されるユーザ識別番号に基づいてユーザ属性情報を読み出し、当該ユーザ属性情報に関連づけられた付加情報を読み出して当該ユーザ端末に送信し、前記ユーザ端末は、前記サーバ装置から受信した付加情報を組み合わせて前記印刷希望画面のレイアウトを編集することを特徴とする、印刷物への付加情報挿入システムを用いた印刷物への付加情報挿入方法、が挙げられる。
【００１７】
更に別の発明としては、サーバ装置とネットワークによって連結されたユーザ端末を、当該ユーザ端末を使用する利用者に対して、ユーザ属性情報の入力を促す手段と、前記ユーザ属性情報を前記サーバ装置に送信する手段と、当該ユーザ端末にて表示される印刷希望画面に対して印刷指令を実行する際に、前記サーバ装置から付与されたユーザ識別番号を前記サーバ装置に送信する手段と、前記サーバ装置から受信した付加情報を組み合わせて前記印刷希望画面のレイアウトを編集する手段と、として機能させるためのプログラムを記録したコンピュータ読み取り可能な媒体、が挙げられる。
【００１８】
更に別の発明としては、前記発明において、付加情報に電子透かしを予め埋め込んでユーザ端末に送信する電子透かし挿入手段をサーバ装置に設けたことを特徴とする、印刷物への付加情報挿入システム、印刷物への付加情報挿入方法、サーバ装置、コンピュータ読み取り可能な媒体、が挙げられる。
【００１９】
更に別の発明としては、前記発明において、ユーザ装置からサーバ装置にユーザ識別番号が送信された際に、当該ユーザ識別番号を基に読み出したユーザ属性情報を用いて、ＷＥＢページに対してどんなユーザ属性情報を有するユーザが印刷を実行したかをログ取得する、印刷ログ取得手段をサーバ装置に設けることを特徴とする、印刷物への付加情報挿入システム、印刷物への付加情報挿入方法、サーバ装置、コンピュータ読み取り可能な媒体が挙げられる。
【００２０】
更に別の発明としては、前記発明において、サーバ装置上において予め印刷不可とするＷＥＢページのＵＲＬリストを登録しておき、ユーザ端末からユーザ識別番号がサーバ装置に送信された際に、印刷しようとするＷＥＢページのＵＲＬリストをユーザ端末から取得して前記ＵＲＬリストと照合し、マッチングした際には、当該ユーザ端末に対して、印刷抑止通知を送信し、ユーザ端末上にて印刷不可とするようにした印刷抑止手段を、サーバ装置に設けることを特徴とする、印刷物への付加情報挿入システム、印刷物への付加情報挿入方法、サーバ装置、コンピュータ読み取り可能な媒体が挙げられる。
【発明の効果】
【００２１】
したがって、本発明によれば、次のような効果のうち、少なくとも一つを得ることができる。
【００２２】
ユーザ端末から実際の利用者の、個人情報や趣向などのユーザ属性（ユーザ属性情報）を入力し、当該ユーザ属性情報のサーバ装置への送信と引き替えに、サーバ装置からユーザ端末に対して、ＷＥＢ印刷・付加情報挿入機能を有するプログラムを提供するため、前記プログラムを実行するユーザのユーザ属性に適した付加情報の挿入が可能となる。
【発明を実施するための最良の形態】
【００２３】
以下、図面を参照しながら本発明の実施の形態について説明する。ただし、以下の実施例において、各装置、端末の数や構成等、特に明示する記載が無い限り発明の範囲を特に限定するものではない。
【実施例１】
【００２４】
［全体構成］
図１は、本発明の印刷物への付加情報挿入システム１０の第１実施例を示す構成図である。
付加情報挿入システム１０は、サーバ装置２０と、複数のユーザ端末３０と、とを少なくとも含んで構成される。
サーバ装置２０と、ユーザ端末３０は、インターネットなどのネットワーク４０に接続され、相互にデータの送受信が可能に構成されている。
また、サーバ装置２０とユーザ端末３０とは、複数台ネットワークに接続しておく事も可能である。
【００２５】
［ユーザ端末３０］
ユーザ端末３０は、例えば、パーソナルコンピュータや、PDAなどの情報処理端末からなり、図１において図示しない各ＷＥＢサーバにネットワーク４０を通じてアクセスすることによって、ＷＥＢページの情報を取得・閲覧することが可能な端末である。
また、ユーザ端末３０に電気的に接続されたプリンタ３１によって、前記ＷＥＢページを印刷することが可能である。
【００２６】
［サーバ装置２０］
サーバ装置２０は、例えばワークステーション等の情報処理装置からなる。図１におけるサーバ装置２０は、記憶手段２１と、プログラム提供手段２２と、ユーザ識別番号提供手段２３と、付加情報送信手段２４とを少なくとも含んで構成される。
【００２７】
プログラム提供手段２２は、ネットワーク４０を介して前記ユーザ端末３０から入力されたユーザ属性情報と引き替えに前記プログラム２１０を当該ユーザ端末３０に提供する機能を有する。
【００２８】
ユーザ識別番号提供手段２３は、ユーザ属性情報を入力したユーザ端末３０毎に前記ユーザ識別番号を個別に生成し、当該ユーザ端末３０にネットワーク４０を介して提供する機能を有する。
【００２９】
付加情報送信手段２４は、ネットワーク４０を介して前記ユーザ端末３０から送信されるユーザ識別番号に基づいて前記記憶手段２１からユーザ属性情報を読み出し、当該ユーザ属性情報に関連づけられた付加情報を読み出して当該ユーザ端末３０に送信する機能を有する。
【００３０】
記憶手段２１は、いわゆるデータベースであって、各ユーザ単位に付与されるユーザ識別番号と、当該ユーザ識別番号に関連づけられるユーザ属性情報と、前記ユーザ属性情報と関連づけられる付加情報と、前記ユーザ装置からダウンロード及びインストールが可能なプログラム２１０と、を少なくとも記憶するように構成される。
ユーザ属性情報は、ユーザの性別や年代、職業、当該ユーザの趣味・趣向などのデータが含まれている。
また、付加情報は、当該ユーザ属性情報に応じて種々振り分け・管理される広告情報、或いは当選情報のデータをランダムにユーザ端末３０に送信可能とするように制御されてある懸賞情報などのデータが含まれている。
【００３１】
［プログラム］
本実施例におけるプログラム２１０は、前記サーバ装置２０が前記ユーザ端末３０からダウンロード及びインストールされる事を目的としたプログラムである。
また、当該プログラム２１０は、ユーザ属性情報送信手段２１１と、ユーザ識別番号送信手段２１２と、印刷レイアウト編集手段２１３と少なくとも実行するためのプログラムである。
ユーザ識別番号送信手段２１２は、当該ユーザ端末３０にて表示される印刷希望画面に対して印刷指令を実行する際に、前記サーバ装置２０に当該ユーザ識別番号を前記サーバ装置２０に送信する機能を有する。
印刷レイアウト編集手段２１３は、前記サーバ装置２０から受信した付加情報を組み合わせて前記印刷希望画面のレイアウトを編集する機能を有する。
例えば、印刷レイアウト手段２１３は、HTML等の言語で記載されたWEBページに対し、ユーザ端末が有する表示手段（ディスプレイ等）において表示された画面をそのまま画像イメージで取り込み、当該取り込んだ画像イメージ（印刷希望画面）の縦横比を調整することによって、印刷時における印刷用紙のサイズに対して、予め余白部分を生成したり、ユーザが所望する枚数に収まるように印刷することを可能とするものである。
【００３２】
［ネットワーク］
ネットワーク４０は代表的なものとして、ＴＣＰ／ＩＰなどのプロトコルを用いた通信が挙げられるが、ＶＰＮなどの専用線を使用してもよいし、これらの併用でもよい。
【００３３】
［付加情報挿入システム１０における情報処理の手順］
図２は、本実施例の付加情報挿入システム１０における情報処理の手順のうち、サーバ装置２０からユーザ端末３０に対して印刷用ソフトウェアの提供を行う予備段階を示すチャート図である。
【００３４】
本実施例においては、ユーザ端末３０を管理、使用するユーザが、ネットワークを介してサーバ装置２０に格納されてあるプログラム２１０を当該ユーザ端末３０にダウンロードし、インストールする処理を行うことを想定したものである。
【００３５】
（１）予備段階
ユーザ端末３０からサーバ装置２０内の前記プログラム２１０をダウンロード可能なＷＥＢページにアクセス要求を行うと（ｓ１００）、サーバ装置２０は前記ＷＥＢページ上において、ユーザのユーザ属性情報を取得するにあたって必要な情報を取得することを目的としたアンケートページを表示し、ユーザのアンケート入力を促す。（ｓ１１０）
【００３６】
ユーザがユーザ端末３０から前記アンケートページにおいて入力を求められる情報を入力・送信することにより（ｓ１２０）、サーバ装置２０は、前記入力された情報を基にユーザ属性情報を生成する。前記生成作業と並行して当該ユーザに対して個別のユーザ識別番号を生成し、前記ユーザ属性情報ととも記憶手段２１に格納する。（ｓ１３０）
【００３７】
次に、サーバ装置２０は、前記記憶手段２１に格納されてあるプログラム２１０をダウンロード可能なダウンロードページを前記ユーザ端末３０に表示する。（ｓ１４０）
【００３８】
また、サーバ装置２０は、前記生成したユーザ識別番号を前記ユーザ端末３０に通知する。なお、前記ユーザ識別番号の通知方法としては、メールなどによって別途行い、当該ユーザ識別番号を、ダウンロードキー或いはインストールキーとしてもよいし、前記ユーザにダウンロードされるプログラム２１０に予め組み込んでおくことによりユーザが特に意識しない形で行っても良い。
【００３９】
ユーザ端末３０は、サーバ装置２０によって表示されたダウンロードページから、前記プログラム２１０をダウンロードし、ユーザ端末３０上でインストールを行い、特定の機能を付加する。（ｓ１５０）
上記プログラム２１０のダウンロード及びインストールは、ＡｃｔｉｖｅＸ等の形式を利用してＷＥＢブラウザ上で行っても良いし、実行ファイルを前記ユーザ端末上にダウンロードし、当該ユーザ端末のＯＳ上にてインストールしてもよい。
また、ユーザ端末３０はサーバ装置２０から通知された識別番号をユーザ端末３０内に格納しておく。
【００４０】
（２）印刷段階
図３は、本実施例の付加情報挿入システム１０における情報処理の手順のうち、印刷段階を示すチャート図である。前記プログラム２１０をインストールしたユーザ端末３０は、あるＷＥＢページに対して印刷指令を実行する際に、当該プログラム２１０を呼び出して、当該ＷＥＢページに対する印刷イメージのレイアウトを編集する作業を実行する。以下、ユーザ端末３０にインストールされた前記プログラム２１０による情報処理を図３を用いて説明する。
【００４１】
ユーザ端末３０があるＷＥＢページに対して、印刷指令を実行する（ｓ２００）と、当該ユーザ端末３０にインストールされたプログラム２１０のうち、ユーザ識別番号送信手段２１２によって、前記サーバ装置２０に対して、格納してあったユーザ識別番号を送信する（ｓ２１０）。
【００４２】
当該ユーザ識別番号を受信したサーバ装置２０は、当該ユーザ識別番号を基に自己の記憶手段２１から、ユーザ属性情報を読み出す（ｓ２２０）。
【００４３】
次に、サーバ装置２０は、読み出したユーザ属性情報に合致する付加情報を前記記憶手段２１から読み出して前記ユーザ端末３０に送信する（ｓ２３０）。なお、合致する付加情報が複数存在する場合には、過去の付加情報の送信履歴や、その他周知のパラメータを考慮して適宜選択し、ユーザ端末３０に送信するものとする。
【００４４】
付加情報を受信したユーザ端末３０は、上記付加情報を挿入した形で当該ＷＥＢページの印刷イメージを形成し、プリンタに送信する。（ｓ２４０）
【００４５】
図４は本発明の印刷レイアウト編集手段２１３の概略説明図であり、前記説明したＷＥＢページの原稿サイズと、印刷用紙のサイズとのサイズが異なる場合における印刷イメージの形成と、前記付加情報の挿入を示すイメージ図である。
【００４６】
ユーザ端末３０は前記インストールされたプログラム２１０のうち、印刷レイアウト編集によって、当該ＷＥＢページのサイズを印刷用紙のサイズに合うように、或いはユーザの所望するサイズに合うように、或いは後述する余白部を意図的に生成するようにリサイズ処理を行う。リサイズ処理は、ユーザ端末３０に表示されるＷＥＢページのイメージデータをキャプチャー処理し、当該キャプチャーしたイメージデータを縦横方向或いは両方向に自在に拡縮することによって行う。
【００４７】
当該リサイズ処理によって生じた余白部に対して、前記受信した付加情報を挿入し、当該イメージデータと共にプリンタに印刷ジョブを送信して印刷を実行して、全ての情報処理を完了するものである。
【実施例２】
【００４８】
図５は、本発明の印刷物への付加情報挿入システム１０の第２実施例を示す構成図である。
第１実施例の付加情報挿入システム１０と異なる点は、第１実施例における記憶手段２１内のプログラム２１０が有する機能としていた、ユーザ属性情報送信手段２１１をサーバ装置２０内に備えた点である。
図６は、図５の構成とした場合の、本実施例の付加情報挿入システム１０における情報処理の手順（特に予備段階）を示すチャート図である。
【００４９】
本実施例においては、記憶手段２１内のプログラム２１０をユーザ端末３０にダウンロードし、インストールを行ってから（ｓ３００）、サーバ装置２０に対してユーザ属性情報の送信を実行する点（ｓ３１０、ｓ３２０）を特徴とするものである。
【００５０】
したがって、前記プログラム２１０が記憶手段２１に格納される状況だけでなく、前記プログラム２１０がＣＤなどのコンピュータ読み取り可能な媒体によって配布される場合であっても、前記プログラム２１０をインストールした後、事後的にユーザ属性情報をサーバ装置２０に送信完了して初めて正式にプログラム２１０が有する機能をユーザ端末３０上で実行可能に構成することができる。
【実施例３】
【００５１】
本発明の印刷物への付加情報挿入システム１０の第３実施例を説明する。
付加情報に当たりくじや外れくじなどを表示する懸賞情報を選択する際には、当該印刷後の印刷用紙を複製した場合においても、それらの真贋を識別する必要が生じる。従って、サーバ装置２０に電子透かし挿入手段２５を設け、当該電子透かし挿入手段によって付加情報に電子透かしを予め埋め込んでユーザ端末３０に送信し、特定の読み取り装置によって、当該印刷用紙の真贋を識別可能に構成することもできる。
【実施例４】
【００５２】
本発明の印刷物への付加情報挿入システム１０の第４実施例を説明する。
ユーザ属性情報とそのユーザ属性情報に該当するユーザに対して配信される付加情報（主に広告情報）との関連付け（重み付け）は、ユーザと広告対象とのマーケティングによって常に変化することが一般的であり、前記関連付けは常に最新の社会状況を反映した状態でもって管理されることが望ましい。
【００５３】
そこで、サーバ装置２０に印刷ログ取得手段２６を更に設けておくことにより、ユーザ装置が特定のＷＥＢページを印刷しようとするタイミング、すなわちユーザ装置からサーバ装置２０にユーザ識別番号が送信された際に、当該ユーザ識別番号を基に読み出したユーザ属性情報を用いて、ＷＥＢページに対してどんなユーザ属性情報を有するユーザが印刷を実行したかをログ取得することができる。
【００５４】
当該印刷ログ取得手段２６を設けることにより、取得したログをＷＥＢページの管理者に対して提供し、マーケティングの材料とできるだけでなく、サーバ装置２０上にて、前記ユーザ属性情報と付加情報との関連付け（重み付け）を適式に調整することが可能となる。例えば、あるＷＥＢページに対して、印刷回数が多いユーザ属性情報を別途記憶し、当該ユーザ属性情報と同じ或いは近似する（関連する）ユーザ属性情報を有する他のユーザのユーザ端末に対して、より多く同種の付加情報を提供する、といったことが可能となる。
【実施例５】
【００５５】
本発明の印刷物への付加情報挿入システム１０の第５実施例を説明する。
ＷＥＢページの中には、ユーザ端末３０上からの閲覧を認めてはいるものの、印刷を抑止したいというニーズが少なくない。
【００５６】
そこで、サーバ装置２０に、予め印刷不可とするＷＥＢページのＵＲＬリストを登録しておき、ユーザ端末３０からユーザ識別番号がサーバ装置２０に送信された際に、印刷しようとするＷＥＢページのＵＲＬリストをユーザ端末３０から取得して前記ＵＲＬリストと照合し、マッチングした際には、当該ユーザ端末３０に対して印刷抑止通知を送信し、ユーザ端末３０上にて印刷不可とするようにした印刷抑止手段２７を設けておく。
【００５７】
当該印刷抑止手段２７を設けることにより、必要に応じて所望の印刷抑止機能を得ることができる。
【図面の簡単な説明】
【００５８】
【図１】本発明に係る勤怠情報管理システムを含む全体構成図。
【図２】本発明の第１実施例の付加情報挿入システムにおける情報処理手順を示すチャート図。
【図３】本発明の第１実施例の付加情報挿入システムにおける情報処理手順を示すチャート図。
【図４】本発明の印刷レイアウト編集手段の概略説明図。
【図５】本発明の印刷物への付加情報挿入システムの第２実施例を示す構成図。
【図６】本発明の第２実施例の付加情報挿入システムにおける情報処理手順を示すチャート図。
【符号の説明】
【００５９】
１０  付加情報挿入システム
２０  サーバ装置
２１  記憶手段
２２  プログラム提供手段
２３  ユーザ識別番号提供手段
２４  付加情報送信手段
２５  電子透かし挿入手段
２６  印刷ログ取得手段
２７  印刷抑止手段
３０  ユーザ端末
４０  ネットワーク
【図１】
2008065775.tif 000003
【図２】
2008065775.tif 000004
【図３】
2008065775.tif 000005
【図４】
2008065775.tif 000006
【図５】
2008065775.tif 000007
【図６】
2008065775.tif 000008